(57)【要約】換気及び排気用のファンの消音ノズル（１８）である。ノズル（１８）は少なくも２個の先細の排気通路を提供し、その各は、吸音媒体（７７、８７）又は共鳴室に隣接した区域を通って伸びる。この方法において、騒音はノズル（１８）又は出口部分において減少させられ、かつ分散しない高速排気流が提供される。ノズル（１８）は、周囲の大気がノズル出口において排出ガスと混合することを許す少なくも１個の開口を持つことが好ましい。
2004515695.tif 000002
【特許請求の範囲】
【請求項１】
消音ノズルであって、
概ね部分的円錐状部分として形成された各が互いに向かい合って中低でありかつ互いに向かい合って位置決めされた第１の外壁部分及び第２の外壁部分であって、第１及び第２の外壁部分の各の少なくも一部が、穴空き材料、排出ガスを解放するための少なくも１個の第１の上方空気出口と少なくも１個の第２の上方空気出口を備えている前記第１及び第２の外壁部分、
第１の外側被包囲空間を定めるように第１の外壁部分の穴空き材料を備えた一部に隣接して配置された第１の外側シース、
第２の外側被包囲空間を定めるように第２の外壁部分の穴空き材料を備えた一部に隣接して配置され第２の外側シース、
前記第１の外壁部分に関して間隔を空けられた関係で位置決めされた第１の内壁部分であって、排出ガスを受け入れてこれを前記第１の上方空気出口を上向きに通して解放するように案内するようにされた少なくも１個の第１の排気流路をこれらの間に定めるように、概ね部分的円錐状、円筒状及び直線状部分の一つとして形状を定められた前記第１の内壁部分が、前記第１の外壁部分に向かって中高又は直線状である前記第１の内壁部分、
第１の内側被包囲空間を定めるために穴空き材料を備えている第１の内壁部分の一部に隣接して配置された第１の内側シース、
前記第２の外壁部分に関して間隔を空けられた関係で位置決めされた第２の内壁部分であって、第１及び第２の内壁部分の各の少なくも一部が穴空き材料を備え、排出ガスを受け入れてこれを前記第２の上方空気出口を上向きに通して解放するように案内するようにされた少なくも１個の第２の排気流路をこれらの間に定めるように、概ね部分的円錐状、円筒状及び直線状部分の一つとして形状を定められた前記第２の内壁部分が、前記第２の内壁部分に向かって中高又は直線状であり、第１及び第２の排気流路が収束している前記第２の内壁部分、
第２の内側被包囲空間を定めるために穴空き材料を備えている第２の内壁部分の一部に隣接して配置された第２の内側シース、
第１及び第２の外側被包囲空間及び第１及び第２の内側被包囲空間内に配置された吸音媒体、
前記第１の内壁部分から前記第１の外壁部分に伸びていて前記第１の排気流路内でこれらの間のガスの通過を制限する少なくも１個の第１の端部壁であって、穴空き材料を備えた部分を通る騒音を吸音媒体内に吸収するように前記第１の排気流路が第１の外側被包囲空間と第１の内側被包囲空間とを通過している前記第１の端部壁、及び
前記第２の内壁部分から前記第２の外壁部分に伸びていて前記第２の排気流路内でこれらの間のガスの通過を制限する少なくも１個の第２の端部壁であって、穴空き材料を備えた部分を通る騒音を吸音媒体内に吸収するように前記第２の排気流路が第２の外側被包囲空間と第２の内側被包囲空間とを通過している前記第２の端部壁
を備えた消音ノズル。
【請求項２】
穴空き材料が、鋼、繊維ガラス、及びポリプロピレンの一つよりなる請求項１によるノズル。
【請求項３】
吸音媒体が、プラスチック、塗装され又は亜鉛メッキされた鋼、ステンレス鋼、鉱物綿、及び繊維ガス材料の一つよりなる請求項１によるノズル。
【請求項４】
吸音媒体が、更に耐薬品性のラップ又はバリヤを備える請求項１によるノズル。
【請求項５】
吸音媒体が、少なくも１個の共鳴室よりなる請求項１によるノズル。
【請求項６】
穴空き部分の穴がその面積の約２０％から７５％を構成する請求項１によるノズル。
【請求項７】
穴空き部分が外壁及び内壁の長さの少なくも約５０％から１００％を占める請求項１によるノズル。
【請求項８】
第１及び第２の排気通路を通る流体の流れが、流体の更なる流れを周囲大気から引くような方法で吸引を立ち上げる請求項１によるノズル。
【請求項９】
排気ファンであって、
（ａ）排出すべき空気を受け入れるファン入口と排出すべき空気を排出するファン出口とを定めているファンハウジング、及び
前記ファンハウジングの直上に位置決めされた請求項１による消音ノズルであって、ここから排出する排出ガスを受け入れるために、前記ファン出口を経て前記ファンハウジングと連通している前記ノズル
を備え、
前記第１の排気流路は、前記ファン出口から排出ガスを受け入れこれを前記第１の上方空気出口を通して上向きに解放するように案内するようにされ、
前記第２の排気流路は、前記ファン出口から排出ガスを受け入れこれを前記第２の上方空気出口を通して上向きに解放するように案内するようにされている
主ハウジング、及び
（ｂ）前記ファンハウジング内に位置決めされ、排出用の空気を前記ファン入口を通して引き、そして排出用の空気を前記ファン出口を通して前記第１の排気流路及び第２の排気流路内に排出するファン
を備えた排気ファン装置。
【請求項１０】
１個の第１の端部壁及び１個の第２の端部壁を備え、前記消音ノズルが１個の第１の上方空気出口と１個の第２の上方空気出口とを定め、更に前記第１の内壁部分と前記第１の外壁部分とがこれらの間に１個の第１の排気流路を定め、更に前記第２の内壁部分と前記第２の外壁部分とがこれらの間に１個の第２の排気流路を定める請求項９による排気ファン装置。
【請求項１１】
前記第１の排気流路はその上方区域における横方向寸法が小さくなるようにこれを先細にするために前記第１の内壁部分が前記第１の外壁部分に向かって上向きでかつ内向きに傾けられ、更に前記第２の排気流路はその上方区域における横方向寸法が小さくなるようにこれを先細にするために前記第２の内壁部分が前記第２の外壁部分に向かって上向きでかつ内向きに傾けられる請求項１０による排気ファン装置。
【請求項１２】
前記第１の排気流路はその上方区域における横方向寸法が小さくなるようにこれを先細にするために前記第１の外壁部分が前記第１の内壁部分に向かって上向きでかつ内向きに傾けられ、更に前記第２の排気流路はその上方区域における横方向寸法が小さくなるようにこれを先細にするために前記第２の外壁部分が前記第２の内壁部分に向かって上向きでかつ内向きに傾けられる請求項１０による排気ファン装置。
【請求項１３】
前記第１の上方空気出口と前記第２の上方空気出口及び前記消音ノズルの上方部分のまわりに円周方向に置かれたウインドバンドを更に備え、前記ウインドバンドは垂直方向に伸びかつ前記消音ノズルの上方端部に関して間隔を空けられていて、その下方から周囲空気を導き前記第１の上方空気出口と前記第２の上方空気出口とから排出されるガスと混合しこれを希釈させる請求項１０による排気ファン装置。
【請求項１４】
前記消音ノズルに関して固定されたウインドバンドブラケットであって、更に前記消音ノズルに関して間隔を空けられた関係に前記ウインドバンドを保持するように、これに関連して取り付けられた前記ウインドバンドブラケットを更に備える請求項１３による排気ファン装置。
【請求項１５】
前記第１の排気流路と前記第２の排気流路との間に位置決めされた正圧帯室を更に備える請求項１０による排気ファン装置。
【請求項１６】
前記第１の外壁部分及び前記第１の内壁部分は、横方向寸法が一定の前記第１の排気流路を定めるように垂直方向で互いに平行であり、前記第１の外壁部分と前記第１の内壁部分とは上向きかつ内向きに傾けられ、更に前記第２の外壁部分及び前記第２の内壁部分は、横方向寸法が一定の前記第２の排気流路を定めるように垂直方向で互いに平行であり、前記第２の外壁部分と前記第２の内壁部分とは上向きかつ内向きに傾けられる請求項１０による排気ファン装置。
【請求項１７】
（１）前記第１の内壁部分が垂直方向に直線状でありかつ前記第１の外壁部分がこれに関して垂直方向の弓形であること、及び（２）前記第２の内壁部分が垂直方向に直線状でありかつ前記第２の外壁部分がこれに関して垂直方向の弓形であることの少なくも一方である請求項１０による排気ファン装置。
【請求項１８】
ファン駆動装置及びベルト駆動装置の少なくも一方が、前記ファンハウジング内の前記ファンの運転を制御するように、これに機能的に連結される請求項１０による排気ファン装置。
【請求項１９】
上方部分と下方部分とを有するハウジングを備え、下方部分は、平行側壁を有する遠心ファンスクロールケーシング、側壁に直角にケーシング内を伸びかつその中で回転するインペラーを取り付けている軸、軸を駆動するモーター手段、ケーシングの側壁にファン軸の軸方向に設けられた入口ポート、スクロールから伸びている排出ポート、ファン排出ポートと連絡している第１の筒状のディフーザー部分及び第１の筒状部分から上向きに伸びている第２の筒状部分を有し、第２の筒状部分はファン軸の軸線に略直角な略平行な軸線を有する少なくも２個の通路を提供するように分岐されており、通路の軸線はファンの軸線に平行な平面内にあり、２個の通路の各は穴空き材料を備えた外壁部分と内壁部分とを有し、更に前記下方部分は、第１の外壁部分の、第１の外側被包囲空間を定めるために穴空き材料を備えた一部に隣接して配置された第１の外側シース、第２の外壁部分の、第２の外側被包囲空間を定めるために穴空き材料を備えた部分に隣接して配置された第２の外側シース、第１の内壁部分の、第１の内側被包囲空間を定めるために穴空き材料を備えた一部に隣接して配置された第１の内側シース、第２の内壁部分の、第２の内側被包囲空間を定めるために穴空き材料を備えた部分に隣接して配置された第２の内側シース、第１と第２の外側被包囲空間及び第１と第２の内側被包囲空間内に配置された吸音媒体を有し、騒音が、穴空き材料を備えた部分を通って吸音媒体内に通過する排気ファン装置。
【請求項２０】
第２の筒状部分が、２個の通路に相当する１対の間隔を空けられた出口ポート、及び出口ポートと環状部を形成するように出口ポートの高さにおいて第２の筒状部分を囲むリングを備え、これにより周囲空気が通路から排出されるガスと混合するために環状部を経て引かれる請求項１９に定められた排気ファン装置。
【請求項２１】
第２の筒状部材は、円錐台状断面のものであるが２個のそれぞれの通路を定めている向かい合った平壁部材により定められる中央間隙を有する請求項２０に定められた排気ファン装置。
【請求項２２】
ディフーザーが、スクロールケーシングの出口排気ポートから伸びている逆円錐台状の管である請求項２１に定められた排気ファン装置。
【請求項２３】
通路の軸線を含んだ平面がファン軸の軸線も含む請求項１９に定められた排気ファン装置。
【発明の詳細な説明】
【０００１】
【発明の分野】
本発明は、一般に換気ファン用ノズルに関し、より特別には換気ファンとともに使用する高速消音ノズルに関する。
【０００２】
【発明の背景】
従来技術の装置は、例えばＡｎｄｒｅｗｓの米国特許４，８０６，０７６号、及びＫｕｐｆｅｒｂｅｒｇの米国特許５，４３９，３４９号に説明されたような大気及びその他のガスを排出させるために高速ジェットを提供するように設計される。これらの排気ファンは、典型的に建物の屋根部分に取り付けられ、そして可能最大量の周囲空気内でのガスの効果的な最終の希釈を行いこれの最大の希釈度における大面積にわたる廃棄を確保するように、建物の天井の線の上方でできるだけ高く排出ガスを送るために使用される。米国特許４，８０６，０７６号のファンはノズルを有し、この中に、２個のそれぞれの通路により２個の収束していく通路が定められる。これら通路を形成する壁は円錐状断面の一部のような形にされる。２個の通路から排出されるガスと混合させるための新鮮な空気の取入れ口を提供するために、その出口に、２個の通路の一方の端部にウインドバンド（ｗｉｎｄ  ｂａｎｄ）が設けられる。
【０００３】
大量の空気を動かすための通常の排気ファンは、望ましくない高レベルの騒音を発生することが多い。このため、ファン騒音を吸収し、これによりファン騒音を受容可能なレベルにまで減少させるために種々のファン消音装置が提案されてきた。しかし、通常の消音装置は装置のファン部分において使用され、そしてノズル又は出口部分における騒音は制御しない。これら通常の消音装置は、これがファン装置の全高を増加させること、及びこれが有効である（即ち大きい付加的な騒音を発生させることなく最大の貫徹度を提供する）場合は（毎分約９１４．４ｍ（１０００フィート）台の）比較的低い空気分配速度に限定されることを含む幾つかの理由で望ましくない。従って、ファン又はその他の装置の高さを減らすためノズル又は外側部分において騒音を制御し、かつシステム圧力を大きく上げることなく比較的高い空気分配速度を提供する装置に対する要求がある。
【０００４】
【発明の概要】
本発明は換気及び排気用のファンのような装置のための消音ノズルに向けられる。ノズルは、少なくも２個の先細の排気通路を提供し、その各は、吸音媒体又は共鳴室に隣接した区域を通って伸びる。この方法においては、騒音はノズル又は出口部分において減少させられ、かつ分散しない高速排気流が提供される。ノズルは、周囲の大気がノズル出口において排出ガスと混合することを許す少なくも１個の開口を持つことが好ましい。
【０００５】
本発明の一実施例により、消音ノズルは、概ね部分的円錐状部分として形成された各が互いに向かい合って中低、又は円筒状又は真っすぐな内壁でありかつ互いに向かい合って位置決めされた第１及び第２の外壁部分であって、第１及び第２の外壁部分の各の少なくも一部が、穴空き材料、排出ガスを解放するための少なくも１個の第１の上方空気出口と少なくも１個の第２の上方空気出口を備えている前記第１及び第２の外壁部分、第１の外側被包囲空間を定めるように第１の外壁部分の穴空き材料を備えた一部に隣接して配置された第１の外側シース、第２の外側被包囲空間を定めるように第２の外壁部分の穴空き材料を備えた一部に隣接して配置され第２の外側シース、記第１の外壁部分に関して間隔を空けられた関係で位置決めされた第１の内壁部分であって、排出ガスを受け入れてこれを第１の上方空気出口を上向きに通して解放するように案内するようにされた少なくも１個の第１の排気流路をこれらの間に定めるように、概ね部分的円錐状、円筒状及び直線状部分の一つとして形状を定められた第１の内壁部分が、第１の外壁部分に向かって中高又は直線状である前記第１の内壁部分、第１の内側被包囲空間を定めるために穴空き材料を備えている第１の内壁部分の一部に隣接して配置された第１の内側シース、記第２の外壁部分に関して間隔を空けられた関係で位置決めされた第２の内壁部分であって、第１及び第２の内壁部分の各の少なくも一部が穴空き材料を備え、排出ガスを受け入れてこれを第２の上方空気出口を上向きに通して解放するように案内するようにされた少なくも１個の第２の排気流路をこれらの間に定めるように、概ね部分的円錐状、円筒状及び直線状部分の一つとして形状を定められた第２の内壁部分が、第２の外壁部分に向かって中高又は直線状であり、第１及び第２の排気流路が収束している前記第２の内壁部分、第２の内側被包囲空間を定めるために穴空き材料（又は海綿状金属又は発泡体）を備えている第２の内壁部分の一部に隣接して配置された第２の内側シース、第１及び第２の外側被包囲空間及び第１及び第２の内側被包囲空間内に配置された吸音媒体、第１の内壁部分から第１の外壁部分に伸びていて第１の排気流路内でこれらの間のガスの通過を制限する少なくも１個の第１の端部壁であって、第１の排気流路が第１の外側被包囲空間と第１の内側被包囲空間とを通過している第１の端部壁、第２の内壁部分から第２の外壁部分に伸びていて第２の排気流路内でこれらの間のガスの通過を制限する少なくも１個の第２の端部壁であって、穴空き材料（又は海綿状金属又は発泡体のような同様な材料）を備えた部分を通る騒音を吸音媒体内に吸収するように第２の排気流路が第２の外側被包囲空間と第２の内側被包囲空間とを通過している前記第２の端部壁を備える。
【０００６】
【実施例及び最良モードの説明】
本発明の以上の目的及びその他の目的は、付属図面を参照して考えたとき本発明の以下の詳細な説明より明らかとなるであろう。本発明を図解するために好ましい実施例が図面に示されるが、本発明は明らかにされる特定の方法及び装置に限定されないことが理解される。
【０００７】
本発明は、換気及び排気用のファンのような装置と使用する消音ノズルを提供する。ノズルは、少なくも２個の収束していく通路を提供し、その各は吸音媒体又は共鳴室に隣接した区域を通って伸びる。この方法において、騒音は、ノズル又は出口部分において減らされ、かつ高速で密な煙の流れを提供する。ノズルは少なくも１個の開口を有し、これにより、ノズル出口において周囲の大気と排出ガスとの混合が可能となることが好ましい。
【０００８】
本発明による第１の実施例が図１に示される。輻流上向き排気、混合流、遠心式、又は軸流排気ファンのような排気ファン装置は主ハウジング１０を備え、このハウジングは、その下方部分にファンハウジング１２を有し、更にファンハウジング１２の上方に置かれかつここから上方に伸びている消音ノズル１８を持つ。ファンハウジング１２は、上方に排出させるガスを受け入れるようにされたファン入口１４、及びファンハウジング１２から消音ノズル１８内にガスを上向きに動かすためのファン出口１６を定める。
【０００９】
消音ノズル１８は、一般に円錐状の部分であってかつ他方に関して中低、円筒状又は直線状である第１の外壁部分２０と第２の外壁部分２２とを定める。消音ノズル１８は、更にその最上部分に第１の上方空気出口２４と第２の上方空気出口２６とを定める。正圧帯室４８を定めている正圧帯部分２８が、第１の外壁部分２０、第１の上方空気出口２４と第２の外壁部分２２、第２の上方空気出口２６との間に置かれる。正圧帯部分は、２個の上方出口を通して排出される汚染空気内に誘導して混合させる空気を供給する。
【００１０】
正圧帯部分２８は第１の内壁部分３０を定め、この内壁は第１の外壁部分２０に向かって外向きに向いている中高又は直線状の円錐状、円筒状、又は直線状部分であるような形にされる。第１の内壁部分３０と第１の外壁部分２０との間に第１の排気流路３２が定められる。同様な方法で、正圧帯部分２８は第２の内壁部分３４を定め、これは円錐状部分として形成されかつ外向きの中高であり、更に第２の外壁部分２２との間に第２の排気流路３６を定めるようにこれに関して間隔を空けられた関係にある。
【００１１】
第１の外壁２０及び第１の内壁３０の少なくも一部は、穴空きの鋼、繊維ガラス、又はポリプロピレンのような穴空き材料を備える。同様に、第２の外壁２２及び第２の内壁３４の少なくも一部は穴空き材料を備える。
【００１２】
第１及び第２の外側シース７０、８０が、外壁２０、２２の穴空き材料を備える部分に隣接して配置される。外側シース７０、８０と穴空き部分とは、それぞれこれらの間に間隔を空けられたそれぞれの仕切りを有し、それぞれ外側被包囲空間又は室７５、８５を提供する。外側被包囲空間７５、８５は、内部に配置されたステンレス鋼毛、又は繊維ガラス材料又は音響的に処理された適宜の材料のような吸音材料７７、７８を持つ。或いは、外側被包囲空間７５、８５は、各を共鳴室とすることができる。外側被包囲空間又は室７５、８５は、いずれの端部も閉じられる。空気が排気流路３２、３６に引かれるとき、騒音は外壁２０、２２の表面の穴を通って音響的充填材料７７、７８内に吸収される。
【００１３】
同様に、内側シース９０、９５が、それぞれ内壁３０、３４の穴空き部分に隣接して配置される。内側シース９０、９５及び穴空き部分は、これらの間にそれぞれ仕切りを有し、それぞれ内側被包囲空間又は室９２、９７を提供する。内側被包囲空間又は室９２、９７は、内部に配置されたプラスチック、塗装又は亜鉛メッキされた鋼、ステンレス鋼、鉱物綿、又は繊維ガラス材料或いは音響的に処理された適宜の材料のような吸音材料９４、９９を有し、更に、排出汚染物質、水分又はかびなどが吸音材料又は空洞部内に蓄積することを防ぐためのマイラ、ポリウレタン、又は同様な材料のような耐薬品性のラップ又はバリヤを備えることもできる。或いは、内側被包囲空間９２、９７の各を、共鳴室とすることができる。内側被包囲空間又は室９２、９７は、いずれの端部も閉鎖される。空気が排気流路３２、３６に引かれた移動するとき、騒音は内壁３０、３４の表面の穴を通り音響的充填材料９４、９９内に吸収される。
【００１４】
穴空き部分の穴はその部分の面積の約２０％から７５％を構成し、かつ直径はほぼ２．３８ｍｍ（３／３２ｉｎ）から２．５４ｍｍ（１ｉｎ）であり、更に穴空き部分が外壁及び内壁の長さの少なくも約５０％から１００％を占めることが好ましい。
【００１５】
２個の端部壁５８の形を取り得る第１の端部壁３８は、第１の内壁部分３０と第１の外壁部分２０との間を伸びて位置決めすることができる。図５及び６に示されたようなこれらの端部壁は、第１の排気流路３２を定めることを助ける。同様な方法で、２個の端部壁６０の形を取り得る第２の端部壁４０は、第２の排気流路３６を定めることを容易にするように、これを第２の内壁部分３４から第２の外壁部分２２に伸びて位置決めすることができる。
【００１６】
空気流が第１及び第２の排気流路を通って排出されることを容易にするために、好ましくは、ファンハウジング１２内にファン４２を置くことができる。ファンはその運転を制御するためにファン駆動装置５４に機能的に連結される。ファン駆動装置５４は、正圧室４８内に置くことができ、或いは図７に示されるように本発明の主ハウジングの外側に置くことができ、或いは全体的にノズル部分の下方に置くことができる。図７に示された構成においては、ベルト式駆動装置が正圧帯部分２８内に置かれ、そして主ハウジング１０の外側部分に関して固定し得る装置５４に関してこれを機能的に固定することができる。
【００１７】
排出されたガスと周囲環境気体との混合を容易にするために、ウインドバンド（ｗｉｎｄ  ｂａｎｄ）４４が、一般に消音ノズル１８の上方端部に関して平行でかつ垂直方向に伸びて位置決めされる。ウインドバンド４４は、ウインドバンドブラケット４６により、消音ノズル１８の外壁に関して間隔を空けて置かれることが好ましい。この方法で、ガスが第１の上方空気出口２４と第２の上方空気出口２６とを経て排出されたとき、空気が図４に矢印６２で示されるように流れるように誘導されるであろう。空気は、混合を容易にするために２個の上方出口を通って排出された汚染ガス内に正圧室４８から矢印６３で示されるように上向きに流れるようにも誘導されるであろう。周囲空気は、排出ガスが上方出口２４と２６とを通って外向きに運動したときに即座に排出ガスと混合することが好ましい。ウインドバンド４４は、主排気通路からの収縮流（煙り）により作られるヴィーナコントラクタ（ｖｅｎａ  ｃｏｎｔｒａｃｔａ）を防ぐであろう。
【００１８】
図３に示された断面は、水平方向平面で見て図２に示された断面に関して直角である。そこで、図２における第１の排気流路３２と第２の排気流路３６とは、平行でありかつ正圧帯に向かって内側に傾けられて垂直方向に伸びて示される。図３において、視線は図１の線３−３に沿い、かつこれには第１及び第２の端部壁３８及び４０の外側の面が示される。これらの壁は、第１の中間点５０が第１の端部壁３８の外壁に置かれ、かつ第２の中間点５２が第２の端部壁４０の外壁に置かれた構成を示す。従って、排気流路を通る断面は、その中心部分を通って得られたときは図２に示されるようであり、そして図３に示された第１及び第２の端部壁３８及び４０の外面の形は、第１及び第２の排気流路３２及び３６の外側周の縁に向けられる傾向がある。排気流路を定めている壁に対する円錐状断面の使用は、かかる上向きに吹き出す排気システムの遭遇する大量の空気流量の観点から重要である。
【００１９】
本発明の実施例装置は、２個以上の垂直方向流路、従って２個以上の上方汚染空気出口を備えることができる。本発明は、基本的にに、間に正圧帯を有し一方の側に１個、他方の側に１個を定める。これらの各は複数の部分に分割でき、従って適宜の数の個別の上方流路を正圧帯の周囲に置くように定めることができる。
【００２０】
本発明の消音装置の作動中、流体（例えば、排出ガス）の主流は（大気内の周囲流体に関して）少なくも毎分約６０９．６ｍ（約２０００ｆｔ）、好ましくは毎分約２０１２ｍ（６６００ｆｔ）までの速度で動く。流体の主流のこの運動は、流体の２次流が大気の周囲流体から引かれるような方法で吸引を作る。
【００２１】
直径が約３３．５ｍ（１１０ｆｔ）台で静止空気中を毎分約７６．２ｍ（２５０ｆｔ）で動く空気の流を作り得るしっかりした排出煙を維持するために排気通路３２、３６が収束することに注意すべきである。これは、排出物又はフュームが大気中に解放される前に希釈することを助け、汚染問題を極めて高効率で効果的に最小にする。
【００２２】
本発明による消音ノズルを備えた別の排出装置例が図８に関連して説明される。装置１１０は、天井に取り付けられたベース１１２、ベース１１２に取り付けられた遠心ファンケーシング１１４、及び建物（図示せず）の内部からケーシング１１４の一方の側に伸びている入口ダクト１１６を持つ。排気スタック又はノズル１１８が遠心ファンケーシング１１４の頂部に取り付けられ、排気スタックの頂上には円錐台状のリング１２０がある。
【００２３】
上述の実施例と同様に、スタック又はノズル１１８の内壁及び外壁の一部分は、穴空き鋼、繊維ガラス、又はポリプロピレンのような穴空き材料よりなる。第１及び第２の外側シース７０、８０が、外壁の穴空き材料よりなる部分に隣接して配置される。外側シース７０、８０及び穴空き部分は、これらの間に間隔を空けられたそれぞれの仕切りを有し、それぞれ外側被包囲空間又は室７５、８５を提供する。外側被包囲空間７５、８５は、内部に、プラスチック、塗装され又は亜鉛メッキされた鋼、ステンレス鋼、鉱物綿、又は繊維ガラス、或いは音響的に処理された適宜の媒体のような吸音材料７７、８７が配置され、更に、排出汚染物質、水分又はかびなどが音響材料又は空洞部内に蓄積することを防ぐために、マイラ、ポリウレタン、又は同様な材料のような耐薬品性のラップ又はバリヤを備えることもできる。或いは、外側被包囲空間７５、８５の各を、共鳴室とすることができる。外側被包囲空間又は室７５、８５は、いずれの端部も閉鎖される。空気が排気流路に引かれて移動するとき、騒音は、外壁の表面の穴を通り音響的充填材料７７、８７内に吸収される。
【００２４】
同様に、内側シース９０、９５が、内壁の穴空き部分に隣接して配置される。内側シース９０、９５及び穴空き部分は、これらの間にそれぞれ仕切りを有し、それぞれ内側被包囲空間又は室９２、９７を提供する。内側被包囲空間９２、９７は、内部に配置されたプラスチック、塗装又は亜鉛メッキされた鋼、ステンレス鋼、鉱物綿、又は繊維ガラス材料或いは音響的に処理された適宜の媒体のような吸音材料９４、９９を有し、更に、排出汚染物質、水分又はかびなどが音響材料又は空洞部内に蓄積することをを防ぐためにマイラ、ポリウレタン、又は同様な材料のような耐薬品性のラップ又はバリヤを備えることもできる。或いは、内側被包囲空間９２、９７の各を、共鳴室とすることができる。内側被包囲空間又は室９２、９７は、いずれの端部も閉鎖される。空気が排気流路に引かれて移動するとき、騒音は内壁の表面の穴を通り音響的充填材料９４、９９内に吸収される。
【００２５】
ベース１１２はフレーム１２２を備え、これにモーター１２４が取り付けられる。軸１２６が、フレーム１２２に取り付けられた軸受ブラケット１２８内に受けられ、片持ち梁式にケーシング１３２内に伸びる。軸１２６は、モーター１２４からの駆動ベルト１３０により駆動される。図９に示されるように、軸１２６は、軸１２６の軸線まわりに回転する複数の翼を持った遠心インペラー１３８を取り付ける。
【００２６】
ケーシング１１４は、インペラー１３８を囲みかつ排出ポート１４４において中断されるスクロール１３２を備える。スクロール１３２は、排出ポート１４４の近くにカットオフ１３４を持つ。ケーシング１１４は平行な側壁１３６も持つ。ケーシング１１４の一方の側壁１３６に入口ポート１４０が定められ、更に入口ポート１４０と入口ダクト１１６とを固定するために、連結用フランジ１４２が設けられる。
【００２７】
そこで、建物から排出された大気汚染物質を含んだ使用済みガスは、ダクト１１６を通りインペラー１３８に関して軸方向で入口ポート１１４に入り、そして空気流は排出ポート１４４を通り加速される。排出ポート１４４にはディフーザー管１４６が取り付けられ、連通する。ディフーザー管１４６は、一方では連結フランジ１４９の手段により分岐ダクト１４８に連結される。分岐ダクト１４８は通路１５０と１５２とを備え、これら通路は一般に平行であるが、事実上、出口に向かって僅かに収束する。それぞれ通路１５０及び１５２を定めている内側の平らな壁１４５及び１５６の手段により中央開口１５５が形成される。
【００２８】
図１０及び１１に示されるように、出口ポート１５８及び１６０が、分岐ダクト１４８の上方端部に定められ、それぞれ通路１５０及び１５２と連絡する。分岐ダクト１４８の上方端部のまわりを環状リング１６２が伸びる。リング１２０とリング１６２との間に環状部１６４が形成される。
【００２９】
運転時には、モーター１２４により駆動されたインペラー１３８が、ダクト１１６を通して大気汚染物を含んだ排出ガスを建物から引き、次いでまずディフーザーを通すことによりスタック又はノズル１１８内に、次いで２個の通路１５０及び１５２内に上方に動かす。ケーシング１１４の位置、特にスタック又はノズル１１８に関するスクロール１３２の方向により、ディフーザーに入り更に通路１５０及び１５２を通る空気流の一様な分布を許す。消費されたガスは、比較的高速で出口ポート１５８及び１６０を通り排出され、大気汚染物と混合され、排気を希釈するように周囲空気を環状部１６４内に誘導する。
【００３０】
本発明は、より低いスタック高さ及び安全性の向上の利点を提供する。本発明は、システム内の静圧損失を最小にし、かつ高速における典型的な消音装置にまさり減衰を増加させる。本発明は、検査のために内部部品（例えばモーター）へのよりよい接近性も提供する。
【００３１】
本発明のノズル消音装置はいかなる形式の出口にも使用し得ることが予想される。ファン、モーター及び駆動装置は適宜の場所に置くことができる。本発明は、毎分約６０９．６ｍ（２０００ｆｔ）以上の速度で排気を排出する種々の形式のファン及びその他の装置に使用することができる。
【００３２】
ここに、幾つかの好ましい実施例が図示され説明されたが、本発明は示されたこの詳細に限定することは意図されない。むしろ、本発明の範囲及び請求項同等事項の範囲内でかつ本発明から離れることなく種々の変更を行うことができる。
【図面の簡単な説明】
【図１】
排気ファン内に組み込まれた本発明による消音ノズルの例の正面図である。
【図２】
図１の消音ノズルの正面断面図である。
【図３】
図１の線３−３に沿って得られた図１の消音ノズルの側面断面図である。
【図４】
周囲に置かれたウインドバンドの使用を示している本発明による消音ノズルの例の正面図である。
【図５】
図１に示された本発明の消音ノズル例の線５−５に沿った断面図である。
【図６】
図１に示された本発明の消音ノズル例の線６−６に沿った断面図である。
【図７】
離して置かれたファン装置の実施例を示している本発明の消音ノズルの正面図である。
【図８】
本発明による別の排気ファン内に組み込まれた消音ノズル例の正面図である。
【図９】
図８の線９−９に沿って得られた垂直方向断面図である。
【図１０】
図８に示された実施例の詳細の部分的な垂直方向断面図である。
【図１１】
図１０の線１１−１１に沿って得られた水平方向断面図である。
【国際公開パンフレット】
2004515695.tif 000003
2004515695.tif 000004
2004515695.tif 000005
2004515695.tif 000006
2004515695.tif 000007
2004515695.tif 000008
2004515695.tif 000009
2004515695.tif 000010
2004515695.tif 000011
2004515695.tif 000012
2004515695.tif 000013
2004515695.tif 000014
2004515695.tif 000015
2004515695.tif 000016
2004515695.tif 000017
2004515695.tif 000018
2004515695.tif 000019
2004515695.tif 000020
2004515695.tif 000021
2004515695.tif 000022
2004515695.tif 000023
2004515695.tif 000024
2004515695.tif 000025
2004515695.tif 000026
【国際調査報告】
2004515695.tif 000027